(57)【要約】【課題】  モールドフレームの内側への異物の進入を阻止することによって、液晶表示パネルの表示面への異物の付着を阻止し、表示品質及び信頼性を向上させた液晶表示装置を提供すること。【解決手段】  モールドフレームは、複数に分割された分割フレーム（長辺側モールドフレームＬＭＤ，短辺側モールドフレームＳＭＤ）から構成され、各分割フレームには、該液晶表示パネルのバックライト側を弾性部材（長辺側ゴムクッションＬＲＣ，短辺側ゴムクッションＳＲＣ）を介して支持する支持部と、該液晶表示パネルの側端面を取り囲む壁面部５，６とが設けられ、分割フレームが結合される該モールドフレームの角部において、片方の分割フレームの該壁面部は凹部を有し、他方の分割フレームの該支持部は凸部を有し、該凹部と該凸部は嵌合するように形成されていることを特徴とする。【選択図】図４
2010169906.tif 000002
【特許請求の範囲】
【請求項１】
液晶表示パネルと、該液晶表示パネルの背面に設置されたバックライトを有する液晶表示装置において、
該バックライトと該液晶表示パネル間に、矩形状のモールドフレームを有し、該モールドフレームは、各辺ごとに複数に分割された分割フレームから構成され、
各分割フレームは、該液晶表示パネルのバックライト側を弾性部材を介して支持する支持部と、該液晶表示パネルの側端面を取り囲む壁面部とを有し、
該分割フレームが結合される該モールドフレームの角部において、片方の分割フレームの該壁面部は凹部を有し、他方の分割フレームの該支持部は凸部を有し、該凹部と該凸部は嵌合するように形成されていることを特徴とする液晶表示装置。
【請求項２】
請求項１に記載の液晶表示装置において、該凸部を有する分割フレームの支持部に配置された弾性部材は、その先端が該他方の分割フレームの壁面部の該凹部内まで延設されていることを特徴とする液晶表示装置。
【請求項３】
請求項１に記載の液晶表示装置において、該凸部を有する分割フレームの先端には、該凹部を有する分割フレームの壁面部と接触し、該壁面部に連続する壁面を構成する壁状突起を備えることを特徴とする液晶表示装置。
【請求項４】
請求項３に記載の液晶表示装置において、該凸部を有する分割フレームの支持部に配置された弾性部材は、該壁状突起に当接していることを特徴とする液晶表示装置。
【請求項５】
液晶表示パネルと、該液晶表示パネルの背面に設置されたバックライトを有する液晶表示装置において、
該バックライトと該液晶表示パネル間に、矩形状のモールドフレームを有し、
該液晶表示パネルの表示面側から該液晶表示パネルの周辺及び該モールドフレームを覆う矩形状の上フレームを有し、
該モールドフレームは、該液晶表示パネルのバックライト側を弾性部材を介して支持する支持部と、該液晶表示パネルの側端面を取り囲む壁面部とが設けられ、
該上フレームは、該モールドフレームの一部を露出させる開口部を有し、該開口部は、該露出したモールドフレームの表面に沿って折り曲げられた折曲部を有することを特徴とする液晶表示装置。
【請求項６】
請求項５に記載の液晶表示装置において、該モールドフレームには、該折曲部を収容するための段差が形成されていることを特徴とする液晶表示装置。
【発明の詳細な説明】
【技術分野】
【０００１】
本発明は、液晶表示パネルの背面に光源光を照射するバックライトを備えた液晶表示装置に係わり、特に液晶表示パネルとバックライトとの接合部分の隙間から進入する異物の進入阻止構造に関し、詳細には、液晶表示パネルを支持するモールドフレームや上フレームの構造に関するものである。
【背景技術】
【０００２】
液晶表示装置を構成する液晶表示パネルは、ガラス基板を好適とする第１の基板と第２の基板との２枚の基板間に液晶層を封入し、該基板に設けられた電極で液晶に電界を選択的に印加し、電界に応じて液晶の配向方向が変化して画像を表示する画像表示装置である。
【０００３】
非発光型である液晶表示パネルを用いた画像表示装置では、当該液晶表示パネルに表示された画像を外部照明手段を設けることにより、可視化させている。外部照明手段には自然光を利用する構造を除いて液晶表示パネルの背面または前面に照明装置を設置している。特に高輝度を要する表示デバイスには、液晶表示パネルの背面に照明装置を設けた構造が主流となっている。これを直下型バックライトと称している。
【０００４】
ここで言う「直下型」という呼称は、液晶表示パネルの背面に設置した導光板の側辺に光源を設けて照明を行う、所謂サイドライト型バックライトと対照される表現である。
【０００５】
上述した直下型バックライトを照明光源とした液晶表示装置では、狭額縁化と軽量化と液晶表示パネルの一体化とを実現するために、液晶表示パネルは、金属成形体からなる枠状の金属フレーム（上フレーム）と樹脂成形体からなる枠状のモールドフレーム（中間フレーム）間に載置され、当該モールドフレームをバックライト上に載置する構造が用いられている。
【０００６】
バックライトは、金属製の略枠状体からなる下フレームと、液晶表示パネルの背面と対向して配置され下フレーム内に配置される反射シートと、この反射シートの前面側に配置され下フレームに蓋をする形で配置される光拡散板と、反射シートと光拡散板との間に配置される光源とから主に構成されている。
【０００７】
枠状のモールドフレームは、このように構成されたバックライト上に載置される。更に、枠状のモールドフレーム上には、枠状にゴム等の弾性部材が粘着材によって貼り付けられ、この弾性部材の上面に液晶表示パネルが載置される。
【０００８】
この弾性部材は、モールドフレームと液晶表示パネル間のクッションの役割を果たすと共に、外部からの異物が、液晶表示パネルと拡散板間に進入するのを防止する役割がある。
【０００９】
このような構造を示したものに、例えば下記特許文献１がある。
【先行技術文献】
【特許文献】
【００１０】
【特許文献１】特開２００３−１６２９０１号公報
【発明の概要】
【発明が解決しようとする課題】
【００１１】
このように構成される液晶表示パネルを搭載するモールドフレームは、近年の液晶表示装置の大型化に対応するため、或いは生産性向上のために、枠状に一体成形した構造を用いることなく、複数に分割（例えば４分割）して製作し、これらを枠状に組み合わせる分割フレーム型が採用される場合がある。
【００１２】
この分割型のモールドフレームは、図８にその角部の要部斜視図で示すように、例えば棒状に成形して形成された長辺側モールドフレームＬＭＤと、短辺側モールドフレームＳＭＤとを両端部で組み合わせて接合されている。
【００１３】
しかしながら、このように構成される直下ライト型バックライトを備えた液晶表示装置では、図８に示すように分割型のモールドフレームの角部の分割部分において、長辺側モールドフレームＬＭＤと短辺側モールドフレームＳＭＤとを組み合わせた継ぎ目部分に、寸法公差及び作業性の観点からクランク状に屈曲した隙間が生じる。
【００１４】
また、このように枠状に組み立てられたモールドフレームには、その内周縁部側に液晶表示パネルを載置するためのゴムクッションが接着配置される。このゴムクッションは、モールドフレームと同様に４分割して接着配置されることになる。この場合も、図８に示すようにモールドフレームの分割部分において、構造上の観点から、長辺側ゴムクッションＬＲＣの一端と短辺側ゴムクッションＳＲＣの一端との組み合わせた継ぎ目部分に、両者の組み合わせの際の寸法公差及び作業性の観点から隙間が生じる。
【００１５】
このような隙間が生じることにより、組み立て時または映像表示時に、この隙間を経由して外側から内側に向かって、矢印ａ〜ｃのように、各構成部材等に付着している塵埃及び周辺部に浮遊している塵埃等の異物が進入し、この異物が液晶表示パネルと拡散板間に進入する。
【００１６】
さらに、図９に示すように、モールドフレームＭＬＤと協働して液晶表示パネルを挟持する金属製の上フレームＵＦＬが、モールドフレームを覆うように配置されている。モールドフレームＭＬＤには、バックライトを収容する下フレームにモールドフレームを固定するための螺子穴２２などが設けられている場合がある。このような螺子孔２２へのアクセスを可能とするため、モールドフレームを部分的に露出させる開口部２１が、上フレームＵＦＬに形成されている。なお、符号２０は、上フレームＵＦＬをモールドフレームＭＬＤに固着する螺子を示している。
【００１７】
しかしながら、このような開口部では、モールドフレームＭＬＤと上フレームＵＦＬとの間に隙間が形成され、この隙間を通じて、塵埃等の異物が矢印ｄに示した位置から進入する。さらに、隙間から入った異物は、図８の矢印ｂのように、モールドフレームと上フレームとの間にある空間を経由し、最終的に、液晶表示パネルと拡散板間に進入する。
【００１８】
そして、内側に進入した異物は、内側での熱対流により液晶表示パネル等の表示面に付着し、映像表示時に表示欠陥等を発生させ、表示映像の輝度分布の不均一を来たすことになる。この不具合は、表示品位を低下させ、品質及び信頼性を損なうという課題があった。
【００１９】
また、このように構成される液晶表示装置は、キャビネット内に液晶表示パネルを横長方向に設置して映像表示を観察するので、バックライトによる熱対流によってその異物が液晶表示パネルの四隅の角部に集中して滞留し易くなる。この異物の滞留は、特に表示パネル下辺側の角部が顕著となる。
【００２０】
なお、これらの課題は、直下型バックライトに限らず、エッジライト型バックライトにおいても、ランプ交換等の状況によってはバックライトを分離することがあり、この場合、上記同様の不具合を生じることになる。
【００２１】
したがって、本発明は、上述した従来の課題を解決するためになされたものであり、その目的は、モールドフレームの内側への異物の進入を阻止することによって、液晶表示パネルの表示面への異物の付着を阻止し、表示品質及び信頼性を向上させた液晶表示装置を提供することにある。
【課題を解決するための手段】
【００２２】
このような目的を達成するために本発明による液晶表示装置は、以下のような特徴を有する。
【００２３】
（１）  液晶表示パネルと、該液晶表示パネルの背面に設置されたバックライトを有する液晶表示装置において、該バックライトと該液晶表示パネル間に、矩形状のモールドフレームを有し、該モールドフレームは、各辺ごとに複数に分割された分割フレームから構成され、各分割フレームは、該液晶表示パネルのバックライト側を弾性部材を介して支持する支持部と、該液晶表示パネルの側端面を取り囲む壁面部とを有し、該分割フレームが結合される該モールドフレームの角部において、片方の分割フレームの該壁面部は凹部を有し、他方の分割フレームの該支持部は凸部を有し、該凹部と該凸部は嵌合するように形成されていることを特徴とする。
【００２４】
（２）  上記（１）に記載の液晶表示装置において、該凸部を有する分割フレームの支持部に配置された弾性部材は、その先端が該他方の分割フレームの壁面部の該凹部内まで延設されていることを特徴とする。
【００２５】
（３）  上記（１）に記載の液晶表示装置において、該凸部を有する分割フレームの先端には、該凹部を有する分割フレームの壁面部と接触し、該壁面部に連続する壁面を構成する壁状突起を備えることを特徴とする。
【００２６】
（４）  上記（３）に記載の液晶表示装置において、該凸部を有する分割フレームの支持部に配置された弾性部材は、該壁状突起に当接していることを特徴とする。
【００２７】
（５）  液晶表示パネルと、該液晶表示パネルの背面に設置されたバックライトを有する液晶表示装置において、該バックライトと該液晶表示パネル間に、矩形状のモールドフレームを有し、該液晶表示パネルの表示面側から該液晶表示パネルの周辺及び該モールドフレームを覆う矩形状の上フレームを有し、該モールドフレームは、該液晶表示パネルのバックライト側を弾性部材を介して支持する支持部と、該液晶表示パネルの側端面を取り囲む壁面部とが設けられ、該上フレームは、該モールドフレームの一部を露出させる開口部を有し、該開口部は、該露出したモールドフレームの表面に沿って折り曲げられた折曲部を有することを特徴とする。
【００２８】
（６）  上記（５）に記載の液晶表示装置において、該モールドフレームには、該折曲部を収容するための段差が形成されていることを特徴とする。
【発明の効果】
【００２９】
本発明の液晶表示装置により、モールドフレームの分割フレームの結合部が互いに入り組んだ形状となり、塵埃等の異物の進入を効果的に抑制することが可能となる。特に、分割フレームの先端が他の分割フレーム内部に延設されているため、分割フレームの支持部に配置される弾性部材を、他方の分割フレームの壁面部内部にまでオーバーラップさせた配置が可能となる。しかも、先端に壁状突起を設け、他方の分割フレームの壁面部と連続する壁面を構成し、異物の進入をより一層抑制することができる。
【００３０】
また、本発明の液晶表示装置により、モールドフレームの一部を露出させる開口部において、上フレームの一部が露出したモールドフレームの表面に沿って折り曲げられた折曲部を形成されているため、該開口部における上フレームとモールドフレームとの隙間を塞ぎ、塵埃等の異物の進入を抑制することが可能となる。しかも、モールドフレームには、該折曲部の形状に合わせた段差が形成されることにより、より一層、異物の進入を抑制できる。
【図面の簡単な説明】
【００３１】
【図１】本発明による液晶表示装置の一実施例を示す展開斜視図である。
【図２】図１の液晶表示装置の一部の断面形状を示す断面図である。
【図３】図１のバックライト及びモールドフレームの外観を示す上面図と側面図である。
【図４】図１のモールドフレームの角部の構成を示す図であり、角部の組み合わせ前の状態を示す図である。
【図５】図４に関連し、モールドフレームの角部の組み合わせ後の状態を示す図である。
【図６】図１の上フレーム及びモールドフレームを組み合わせる前の状態を示す図である。
【図７】図６に関連し、上フレーム及びモールドフレームを組み合わせた後の状態を示す図である。
【図８】従来のモールドフレームの角部の構成を示す図である。
【図９】従来の上フレーム及びモールドフレームを組み合わせた後の状態を示す図である。
【発明を実施するための形態】
【００３２】
以下、本発明の液晶表示装置に係る実施形態について、詳細に説明する。
【００３３】
図１は、本発明による液晶表示装置の一実施例の構成を説明する要部展開斜視図である。
図１において、液晶表示パネルＰＮＬは、内面に画素選択電極を有する一対の透光性ガラス基板の間に液晶層を封入して構成され、画素選択電極から液晶に印加される電界に応じて液晶の配向方向を変化させ、液晶表示パネルＰＮＬの背面に設置されるバックライトＢＬから投射される光源光を液晶層で偏光し、偏光板を透過させることにより画像を表示する構造となっている。
【００３４】
この液晶表示パネルＰＮＬの背面に設置されるバックライトＢＬは、直下型バックライトである。このバックライトＢＬは、金属性板材により形成された下フレームＲＰＬと、反射シートＲＦＢと、光源である複数の外部電極蛍光管ＥＦＬと、当該外部電極蛍光管ＥＦＬを固定保持する一対の給電端子ＴＭと、当該給電端子ＴＭが載置される一対のサイドアンダーフレームＳＥＰと、外部電極蛍光管ＥＦＬと給電端子ＴＭの接続部上をカバーするサイドモールドフレームＳＭＬと、拡散板ＤＦＢと、プリズムシートや拡散シートを積層した光学補償シート積層体ＯＣＳとが順次積層して配置されている。
【００３５】
なお、この構成のバックライトＢＬでは、大型サイズの拡散板ＤＦＢの撓みによる照度分布の不均一性を抑制するためのスペーサＳＰＣを下フレームＲＰＬ上に植立させ、反射シートＲＦＢに設けた穴を通して拡散板ＤＦＢの裏面に当接させている。そして、スペーサＳＰＣに長尺の外部電極蛍光管ＥＦＬの撓みを抑制する枝状突起構造を設けることもできる。
【００３６】
このようなバックライトＢＬ上には、樹脂成形体により枠状（矩形状）に形成されたモールドフレームＭＬＤが載置され、その上に、液晶表示パネルＰＮＬと枠状（矩形状）の上フレームＵＦＬが順次積層配置される。モールドフレームＭＬＤは、図示はしないが、各辺ごとに４分割して形成された各部材が組み合わされた構造である。具体的には、モールドフレームＭＬＤは、夫々２つずつの長辺側モールドフレームＬＭＤと短辺側モールドフレームＳＭＤによって組み合わせられる。更に、モールドフレームＭＬＤの各部材上には、図示しない弾性部材としてのゴムクッションＲＣが設置されており、液晶表示パネルＰＮＬは、このゴムクッションＲＣ上に載置される。なお、これらの構成について、詳細は後述する。
【００３７】
モールドフレームＭＬＤと上フレームＵＦＬとは、協働して液晶表示パネルＰＮＬを狭持している。図２は、図１の液晶表示装置の一部の断面図、特に、長辺側モールドフレームＬＭＤを含む液晶表示装置の側部付近の断面図を示している。図２に示すように、液晶表示パネルＰＮＬの裏側縁部には、モールドフレームＭＬＤ（ＬＭＤ）の支持部７に配置されたゴムクッションＲＣ（長辺側ゴムクッションＬＲＣ）が接触し、液晶表示パネルＰＮＬの表側縁部には、上フレームの内側に設けられたクッション材ＵＣが接触している。これらの弾性部材を介して、液晶表示パネルＰＮＬはモールドフレームＭＬＤと上フレームＵＦＬとに挟持される。上フレームＵＦＬには、金属性板材が利用される。
【００３８】
上フレームＵＦＬは、モールドフレームＭＬＤに螺子等で機械的に固定され、また、モールドフレームＭＬＤは、バックライトを収容する下フレームＲＰＬに螺子等で機械的に固定される。図２に示すように、バックライトを構成する反射シートＲＦＢの端部は、下フレームＲＰＬとモールドフレームＭＬＤで挟持されている。光学補償シート積層体ＯＣＳや拡散板ＤＦＢも、下フレームＲＰＬとモールドフレームＭＬＤで挟持される。必要に応じて、モールドフレームＭＬＤの光学補償シート積層体ＯＣＳに対向する部分に、弾性部材を設けることも可能である。
【００３９】
図１に示すように、下フレームＲＰＬの外部電極蛍光管ＥＦＬが設置される面と反対側の面であり、且つ下辺部の両端側に、複数の外部電極蛍光管ＥＦＬをそれぞれ位相反転させて駆動させる一対のインバータ回路基板ＩＮＶが装着されている。尚、インバータ回路基板は、一対である必要は無く、一つの回路基板であっても良い。このインバータ回路基板ＩＮＶには、基板上にトロイダルコイル型のトランス及び電解コンデンサ等から構成されたインバータ回路が搭載されている。
【００４０】
また、インバータ回路基板ＩＮＶのインバータ回路は、複数の外部電極蛍光管ＥＦＬの電極に、給電端子ＴＭに接続された給電ケーブルＣＢＬ１を介して電気的に接続されている。なお、給電ケーブルＣＢＬ１，ＣＢＬ２には高周波電流が流れることから、ケーブル長は短いほど良い。
【００４１】
そして、外部電極蛍光管ＥＦＬには、その両端に設けられた外部電極に対して同期をとって互いに位相反転された駆動電圧が供給される。この駆動電圧は、インバータ回路の高周波出力が一方の外部電極に供給され、他方の外部電極にはトランスで位相反転された高周波出力が供給される。
【００４２】
この液晶表示装置の組み立てでは、液晶表示パネルＰＮＬとバックライトＢＬとをそれぞれの工程で組み立てた後、バックライトＢＬの上に液晶表示パネルＰＮＬを重ねて一体化される。バックライトＢＬは、図１に示した複数の構成部材を組み立てることで得られる。すなわち、箱状に形成された下フレームＲＰＬ内に反射シートＲＦＢを敷き、左右両端にアンダーフレームＳＥＰを設置して両者に給電端子ＴＭを設置し、給電端子ＴＭ間に外部電極蛍光管ＥＦＬを橋絡させてセットし、サイドモールドフレームＳＭＬで給電端子ＴＭ部分をカバーすることで、バックライトＢＬが組み立てられる。
【００４３】
更に、下フレームＲＰＬの上に拡散板ＤＦＢを置き、その上に光学補償シート積層体ＯＣＳを積層した後、枠状のモールドフレームＭＬＤを設置して螺子等でモールドフレームＭＬＤと下フレームＲＰＬを固定する。最後に下フレームＲＰＬの外部電極蛍光管ＥＦＬが設置される面と反対側の面にインバータ回路基板ＩＮＶを設置して螺子等により一体的に固定することで装着される。
【００４４】
図３は、本発明の液晶表示装置に係るモールドフレームＭＬＤ及びバックライトＢＬの外観を示す図である。図３に示すように、モールドフレームＭＬＤは、分割フレームである長辺側モールドフレームＬＭＤと短辺側モールドフレームＳＭＤとに４分割され、各モールドフレームには、液晶表示パネルに当接するゴムクッションＲＣ（長辺側ゴムクッションＬＲＣ，短辺側ゴムクッションＳＲＣ）が設けられている。バックライトＢＬの上部に、拡散板ＤＦＢ及び光学補償シート積層体ＯＣＳを重ね、最上部にモールドフレームＭＬＤを乗せて、下フレームＲＰＬに螺子止めされる。
【００４５】
図４及び５は、本発明の要部である、モールドフレームＭＬＤ上に液晶表示パネルＰＮＬを、ゴムクッションＲＣを介在させて設置させる構造の詳細を説明する図である。図４は、分割フレームを組み合わせる前の状態を示し、図５は、分割フレームを組み合わせた後の状態を示している。
【００４６】
モールドフレームＭＬＤは、複数に分割された分割フレーム（長辺側モールドフレームＬＭＤ，短辺側モールドフレームＳＭＤ）から構成され、各分割フレームには、該液晶表示パネルＰＮＬのバックライト側を弾性部材（長辺側ゴムクッションＬＲＣ，短辺側ゴムクッションＳＲＣ）を介して支持する支持部７と、該液晶表示パネルの側端面の位置決めの役割を果たす壁面部５，６とが設けられている。なお、符号３及び４は、分割フレームを接合するための螺子などが挿入される孔である。
【００４７】
分割フレームをモールドフレームＭＬＤの角部で結合する構造は、２つの分割フレーム（ＬＭＤ，ＳＭＤ）が重なり合う部分を有する。短辺側モールドフレームＳＭＤは、液晶表示パネルＰＮＬの端部の位置決めを行う壁面部５において、その一部に、凹部を有する。長辺側モールドフレームＬＭＤの端部の一部は、支持部７の延長線上に鋭角状の凸部を有する。当該長辺側モールドフレームＬＭＤの凸部は、壁面部５の凹部と嵌合するように形成される。これにより、分割フレームの結合部が互いに入り組んだ形状となり、塵埃等の異物の進入を効果的に抑制することが可能となる。
【００４８】
また、長辺側モールドフレームＬＭＤの支持部に配置された弾性部材ＬＲＣは、長辺側モールドフレームＬＭＤの凸部上に配置され、更には、壁面部５の凹部内にまで延設されている。このように、弾性部材が壁面部５の凹部内までオーバーラップして配置されることにより、モールドフレームの内側に至る隙間経路を、より複雑化し、異物の進入を低減させる。
【００４９】
また、長辺側モールドフレームＬＭＤの凸状部の先端には、短辺側モールドフレームＳＭＤのフレーム内壁面部５と接触し、該壁面部５に連続する壁面を構成する壁状突起１を備える。これにより、分割フレーム間（長辺側モールドフレームＬＭＤと短辺側モールドフレームＳＭＤとの間）の隙間が形成され難くなる。
【００５０】
さらに、長辺側モールドフレームＬＭＤの支持部に配置された弾性部材（ＬＲＣ）は、壁状突起１に当接させることで、モールドフレームの内側に至る隙間を少なくし、より密閉度を向上させることができる。
【００５１】
尚、本実施例では、長辺側モールドフレームＬＭＤの支持部７に凸部を設け、短辺側モールドフレームＳＭＤの壁面部５に凹部を設ける構成を示したが、長辺側モールドフレームＬＭＤの壁面部６に凹部を設け、短辺側モールドフレームＳＭＤの支持部７に凸部を設ける構造であっても良い。
【００５２】
次に、上フレームＵＦＬに設けられた開口部から、異物が進入するのを抑制する方法について説明する。図６は、本発明の液晶表示装置にて適用される、モールドフレームＭＬＤに上フレームＵＦＬを組付ける前の状態を示し、図７は、両者を組付けた状態を示している。図７の組付けた状態の断面図は、図２と同様である。
【００５３】
モールドフレームＭＬＤは、上述したように複数に分割された分割フレームから構成され、各分割フレームには、該液晶表示パネルＰＮＬのバックライト側を弾性部材ＲＣを介して支持する支持部７と、該液晶表示パネルＰＮＬの側端面を取り囲む壁面部６（あるいは５）とが設けられる。上フレームＵＦＬは、該液晶表示パネルＰＮＬの表示面側を弾性部材ＵＣ（図３参照）を介して支持すると共に、該モールドフレームＭＬＤを覆うように配置される。
【００５４】
本発明の上フレームＵＦＬには、該上フレームＵＦＬに設けられ、該モールドフレームＭＬＤの一部１２を露出させる開口部１０に、該上フレームＵＦＬと該モールドフレームＭＬＤとの隙間を塞ぐため、モールドフレームＭＬＤの表面に沿って折り曲げられた折曲部１１を形成している。これにより、上フレームＵＦＬとモールドフレームＭＬＤとの間に形成される隙間を少なくし、異物の進入を抑制することが可能となる。
【００５５】
さらに、モールドフレームＭＬＤには、該折曲部１１の形状に合わせた段差１３が形成されており、この段差１３に折曲部１１が収容されるようになる。このため、上フレームＵＦＬとモールドフレームＭＬＤとの接地面積が増加すると共に、異物の進入経路も入り組む形状となることから、塵埃等の異物がモールドフレームの内側に進入することが、より一層抑制される。なお、符号１５と１６は、上フレームＵＦＬとモールドフレームＭＬＤとを螺子で固着するための螺子孔である。また、符号１４は、モールドフレームＭＬＤを下フレームＲＰＬに固着するための螺子孔である。
【産業上の利用可能性】
【００５６】
以上のように、本発明によれば、モールドフレームの内側への異物の進入を阻止することによって、液晶表示パネルの表示面への異物の付着を阻止し、表示品質及び信頼性を向上させた液晶表示装置を提供することが可能となる。
【符号の説明】
【００５７】
ＰＮＬ  液晶表示パネル
ＢＬ    バックライト
ＲＰＬ  下フレーム
ＭＬＤ  モールドフレーム
ＲＦＢ  反射シート
ＥＦＬ  外部電極蛍光管
ＴＭ    給電端子
ＳＥＰ  サイドアンダーフレーム
ＳＭＬ  サイドモールドフレーム
ＳＰＣ  スペーサ
ＩＮＶ  インバータ回路基板
ＣＢＬ１，ＣＢＬ２  給電ケーブル
ＭＬＤ  モールドフレーム
ＳＭＤ  短辺側モールドフレーム
ＬＭＤ  長辺側モールドフレーム
ＤＦＢ  拡散板
ＯＣＳ  光学補償シート積層体
ＲＣ，ＵＣ    ゴムクッション（弾性部材）
ＬＲＣ  長辺側ゴムクッション
ＳＲＣ  短辺側ゴムクッション
１      壁状突起
５，６  壁面部
７      支持部
１０    開口部
１１    折曲部
１３    段差
【図１】
2010169906.tif 000003
【図２】
2010169906.tif 000004
【図３】
2010169906.tif 000005
【図４】
2010169906.tif 000006
【図５】
2010169906.tif 000007
【図６】
2010169906.tif 000008
【図７】
2010169906.tif 000009
【図８】
2010169906.tif 000010
【図９】
2010169906.tif 000011